(57)【要約】【課題】外部装置を用いることなく、書き換えられた動作パラメータの内容や、動作パラメータの設定の成否を容易に確認可能にする。【解決手段】カードＣの磁気ストライプ３には、交換部品の設定情報が記録されている。カード処理装置に電源投入時に所定の操作が行なわれると、取り込まれたカードＣの磁気ストライプ３の設定情報が磁気ヘッド２４により読み込まれ、ＥＥＰＲＯＭ８２の動作パラメータとして設定される。そして、カードＣのリトライ層１に設定結果の成否および設定内容が印字された後、排出される。【選択図】  図１
2004192511.tif 000002
【特許請求の範囲】
【請求項１】
定められた処理を施すことにより、文字や絵柄等の画像の印字処理を行なうことができる印字層と、データが書き込まれた磁性層とを有する設定カードであって、前記磁性層には、装置の動作を制御するための設定情報が記録されており、前記印字層には、前記設定情報に基づいて行なわれた前記装置の動作パラメータの設定の成否が印字されることを特徴とする設定カード。
【請求項２】
定められた処理を施すことにより、文字や絵柄等の画像の印字処理を行なうことができる印字層と、データが書き込まれた磁性層とを有する設定カードであって、前記磁性層には、装置の動作を制御するための設定情報が記録されており、前記印字層には、前記磁性層に記録されている設定情報に基づいて前記装置に設定された設定内容が印字されることを特徴とする設定カード。
【請求項３】
定められた処理を施すことにより、文字や絵柄等の画像の印字処理を行なうことができる印字層と、データが書き込まれた磁性層とを有する設定カードであって、装置の交換部品毎に用意され、前記磁性層には、交換対象となる部品の設定情報が記録されていることを特徴とする設定カード。
【請求項４】
装置内に取り込んだカードの印字層を処理して該印字層に画像の印字処理を施す一方、カードの磁性層からのデータの読込み処理を施し、この後、カードを装置外に排出するよう構成されたカード処理装置であって、
処理装置の動作パラメータを記憶する記憶手段と、前記カードの磁性層に記録されている設定情報を読み込む読込手段と、前記設定情報に基づいて前記記憶手段の動作パラメータを設定する設定手段と、前記設定手段により行なわれた設定の成否を前記カードの印字層に印字する印字手段とを具備することを特徴とするカード処理装置。
【請求項５】
装置内に取り込んだカードの印字層を処理して該印字層に画像の印字処理を施す一方、カードの磁性層からのデータの読込み処理を施し、この後、カードを装置外に排出するよう構成されたカード処理装置であって、
処理装置の動作パラメータを記憶する記憶手段と、前記カードの磁性層に記録されている設定情報を読み込む読込手段と、前記設定情報に基づいて前記記憶手段の動作パラメータを設定する設定手段と、前記設定手段により前記設定情報に基づいて設定された設定内容を前記印字層に印字する印字手段と
を具備することを特徴とするカード処理装置。
【請求項６】
装置内に取り込んだカードの印字層を処理して該印字層に画像の印字処理を施す一方、カードの磁性層からのデータの読込み処理を施し、この後、カードを装置外に排出するよう構成されたカード処理装置であって、
処理装置の動作パラメータを記憶する記憶手段と、交換部品毎に用意され、交換対象となる部品の設定情報が磁性層に記録されているカードの設定情報を読み込む読込手段と、前記設定情報に基づいて前記記憶手段の動作パラメータを設定する設定手段とを具備することを特徴とするカード処理装置。
【請求項７】
装置内に取り込んだカードの印字層を処理して該印字層に画像の印字処理を施す一方、カードの磁性層からのデータの読み込み処理を施し、この後、カードを装置外に排出するよう構成されたカード処理装置の動作パラメータ設定方法において、前記カードを装置内に取り込み、前記カードの磁性層に記録されている設定情報を読み込み、読み込んだ設定情報に基づいて動作パラメータを設定し、該設定の成否を前記カードの印字層に印字し、取り込んだカードを排出することを特徴とするカード処理装置の動作パラメータ設定方法。
【請求項８】
装置内に取り込んだカードの印字層を処理して該印字層に画像の印字処理を施す一方、カードの磁性層からのデータの読み込み処理を施し、この後、カードを装置外に排出するよう構成されたカード処理装置の動作パラメータ設定方法において、前記カードを装置内に取り込み、前記カードの磁性層に記録されている設定情報を読み込み、読み込んだ設定情報に基づいて動作パラメータを設定し、該設定内容を前記カードの印字層に印字し、取り込んだカードを排出することを特徴とするカード処理装置の動作パラメータ設定方法。
【請求項９】
前記カードは、交換部品毎に用意され、前記磁性層には、交換対象となる部品の設定情報が記録されていることを特徴とする請求項７または８記載のカード処理装置の動作パラメータ設定方法。
【請求項１０】
装置内に取り込んだリライタブルカードのリライト層を加熱して該リライト層に画像のサーマル消去／印字処理を施す一方、リライタブルカードの磁性層へのデータ読込み／書込みを施し、この後、リライタブルカードを装置外に排出するよう構成されたカード処理装置であって、処理装置の動作パラメータを記憶する記憶手段と、前記リライタブルカードの磁性層に記録されている設定情報を読み込む読込手段と、前記設定情報に基づいて前記記憶手段の動作パラメータを設定する設定手段と、前記設定手段により行われた設定内容および設定の成否を前記リライタブルカードのリライト層に印字する印字手段とを具備することを特徴とするカード処理装置。
【発明の詳細な説明】
【０００１】
【発明の属する技術分野】
この発明は、定められた処理を施すことにより、文字や絵柄等の画像の印字処理を行なうことができる印字層と、データの読込みを行なうことができる磁性層とを有する設定カード、カード処理装置およびカード処理装置の動作パラメータ設定方法に関する。
【０００２】
【従来の技術】
近年、前回の画像が消去されるとともに、同一箇所に最新の画像のみが印字されるリライタブルカードが提供されている。このリライタブルカードは、樹脂製基材にリライト層として積層された熱可逆性記録材料に対し、同材料に定められた加熱／冷却処理をカード処理装置によって施すことにより、画像のサーマル消去／印字、すなわちサーマルリライトが繰り返し行われるようになされている。サーマルリライト処理を行なうカード処理装置は、まず、熱スタンプやサーマルバー等で構成されるサーマル消去ヘッドによりリライト層を消去温度に一様に加熱して画像を消去する。次いで、複数の発熱体が直線状に配列されたサーマル印字ヘッドを、発熱体の配列方向と直交する方向に走査させながら発熱体に選択的に通電することにより、リライト層を印字温度に加熱して任意の画像を印字するといった構成が一般的である（例えば、特許文献１参照）。
【０００３】
また、リライタブルカードの裏面には、磁気情報を記録することができる磁気ストライプが設けられている。該磁気ストライプには、通常、個人情報などが記録されるが、それ以外の使用として、カード処理装置の動作を制御するための設定情報を記録し、該設定情報でカード処理装置内に記録されている動作パラメータを書き換えることが可能になっている。カード処理装置では、挿入されたリライタブルカードが動作パラメータ設定用であるか、通常の使用目的用のカードであるかを判別し、動作パラメータ設定用のカードである場合には、そのリライタブルカードの磁気ストライプに記録されている設定情報に基づいて、既に設定されている動作パラメータを変更するようになっている。このため、ＲＯＭ交換や書き換えのための専用装置を必要とすることなく、カード処理装置の動作プログラム変更が可能となる（例えば、特許文献２参照）。
【０００４】
【特許文献１】
特開２０００−２０７５００号公報
【特許文献２】
特開平３−２７６２８５号公報
【０００５】
【発明が解決しようとする課題】
ところで、上述したリライタブルカードを用いるカード処理装置では、設定情報を記録したリライタブルカードで動作パラメータを書き換えるため、別途、パーソナルコンピュータなどの外部装置を必要としない。しかしながら、書き換えられた動作パラメータの内容や、動作パラメータが正常に書き換えられたか否かを確認するためには、インターフェース通信（シリアル通信、パラレル通信など）を用いて外部装置上で行なう必要がある。
【０００６】
ところで、カード処理装置においては、部品劣化により部品交換が必要となる場合がある。しかしながら、一般に、既存の部品と同じ特性を有する部品と交換することは管理上難しく、多少なりとも異なる特性の部品と交換することになる。この場合、部品交換に伴ってカード処理装置の動作制御を変更する必要が生じてくる。しかしながら、上述したカード処理装置では、装置全体の動作制御を変更するようになっており、個別の部品交換には対応しておらず、部品交換に際しては外部装置から動作パラメータを設定する必要があった。
【０００７】
このように、従来のカード処理装置では、外部装置から動作パラメータの内容や設定可否を確認するために、確認用の専用アプリケーションが必要となり、開発コストの上昇や、ユーザ負担の増大を招くという問題がある。また、部品交換時に外部装置から動作パラメータを変更するとき、マニュアルで設定する必要があり、誤設定が生じる場合があるという問題がある。
【０００８】
この発明は上述した事情に鑑みてなされたもので、外部装置を用いることなく、書き換えられた動作パラメータの内容や、動作パラメータが正常に書き換えられたか否かを容易に確認することができ、また、部品交換に際して誤設定を防止することができる設定カード、カード処理装置およびカード処理装置の動作パラメータ設定方法を提供することを目的としている。
【０００９】
【課題を解決するための手段】
本発明に係る第１の設定カードは、定められた処理を施すことにより、文字や絵柄等の画像の印字処理を行なうことができる印字層と、データが書き込まれた磁性層とを有する設定カードであって、前記磁性層には、装置の動作を制御するための設定情報が記録されており、前記印字層には、前記設定情報に基づいて行なわれた前記装置の動作パラメータの設定の成否が印字されることを特徴としている。
【００１０】
上記第１の設定カードによれば、設定カードの磁性層に記録されている設定情報に基づいて行なわれた動作パラメータの設定の可否が、設定カードの印字層に印字されるので、外部装置を用いることなく、動作パラメータが正常に書き換えられたか否かを容易に確認することができる。
【００１１】
次に、本発明に係る第２の設定カードは、定められた処理を施すことにより、文字や絵柄等の画像の印字処理を行なうことができる印字層と、データが書き込まれた磁性層とを有する設定カードであって、前記磁性層には、装置の動作を制御するための設定情報が記録されており、前記印字層には、前記磁性層に記録されている設定情報に基づいて前記装置に設定された設定内容が印字されることを特徴としている。
【００１２】
上記第２の設定カードによれば、設定カードの磁性層に記録されている設定情報に基づいて前記装置に設定された設定内容が、設定カードの印字層に印字されるので、外部装置を用いることなく、書き換えられた動作パラメータの内容を確認することができる。
【００１３】
さらに、本発明に係る第３の設定カードは、定められた処理を施すことにより、文字や絵柄等の画像の印字処理を行なうことができる印字層と、データが書き込まれた磁性層とを有する設定カードであって、装置の交換部品毎に用意され、前記磁性層には、交換対象となる部品の設定情報が記録されていることを特徴としている。
【００１４】
上記第３の設定カードによれば、交換部品毎に用意された設定カードの磁性層に交換対象となる部品の設定情報を記録するようにしたので、部品交換に際して誤設定を防止することができる。
【００１５】
さらに、本発明に係る第１のカード処理装置は、装置内に取り込んだカードの印字層を処理して該印字層に画像の印字処理を施す一方、カードの磁性層からのデータの読込み処理を施し、この後、カードを装置外に排出するよう構成されたカード処理装置であって、処理装置の動作パラメータを記憶する記憶手段と、前記カードの磁性層に記録されている設定情報を読み込む読込手段と、前記設定情報に基づいて前記記憶手段の動作パラメータを設定する設定手段と、前記設定手段により行なわれた設定の成否を前記カードの印字層に印字する印字手段とを具備することを特徴としている。
【００１６】
上記第１のカード処理装置によれば、カードの磁性層に記録されている設定情報を読み込み、該読み込んだ設定情報に基づいて動作パラメータを設定し、該動作パラメータの設定の可否を、カードの印字層に印字するので、外部装置を用いることなく、動作パラメータが正常に書き換えられたか否かを容易に確認することができる。
【００１７】
次に、本発明に係る第２のカード処理装置は、装置内に取り込んだカードの印字層を処理して該印字層に画像の印字処理を施す一方、カードの磁性層からのデータの読込み処理を施し、この後、カードを装置外に排出するよう構成されたカード処理装置であって、処理装置の動作パラメータを記憶する記憶手段と、前記カードの磁性層に記録されている設定情報を読み込む読込手段と、前記設定情報に基づいて前記記憶手段の動作パラメータを設定する設定手段と、前記設定手段により前記設定情報に基づいて設定された設定内容を前記印字層に印字する印字手段とを具備することを特徴としている。
【００１８】
上記第２のカード処理装置によれば、カードの磁性層に記録されている設定情報を読み込み、該設定情報に基づいて動作パラメータを設定し、該設定された設定内容を、カードの印字層に印字するので、外部装置を用いることなく、書き換えられた動作パラメータの内容を確認することができる。
【００１９】
さらに、本発明に係る第３のカード処理装置は、装置内に取り込んだカードの印字層を処理して該印字層に画像の印字処理を施す一方、カードの磁性層からのデータの読込み処理を施し、この後、カードを装置外に排出するよう構成されたカード処理装置であって、処理装置の動作パラメータを記憶する記憶手段と、交換部品毎に用意され、交換対象となる部品の設定情報が磁性層に記録されているカードの設定情報を読み込む読込手段と、前記設定情報に基づいて前記記憶手段の動作パラメータを設定する設定手段とを具備することを特徴としている。
【００２０】
上記第３のカード処理装置によれば、交換部品毎に用意され、交換対象となる部品の設定情報が磁性層に記録されているカードの磁性層に記録されている設定情報を読み込み、該設定情報に基づいて前記記憶手段の動作パラメータを設定するので、部品交換に際して誤設定を防止することができる。
【００２１】
また、本発明に係る第１のカード処理装置の動作パラメータ設定方法は、装置内に取り込んだカードの印字層を処理して該印字層に画像の印字処理を施す一方、カードの磁性層からのデータの読み込み処理を施し、この後、カードを装置外に排出するよう構成されたカード処理装置の動作パラメータ設定方法において、前記カードを装置内に取り込み、前記カードの磁性層に記録されている設定情報を読み込み、読み込んだ設定情報に基づいて動作パラメータを設定し、該設定の成否を前記カードの印字層に印字し、取り込んだカードを排出することを特徴としている。
【００２２】
上記第１のカード処理装置の動作パラメータ設定方法によれば、カードの磁性層に記録されている設定情報を読み込み、該読み込んだ設定情報に基づいて動作パラメータを設定し、該動作パラメータの設定の可否を、カードの印字層に印字するので、外部装置を用いることなく、動作パラメータが正常に書き換えられたか否かを容易に確認することができる。
【００２３】
次に、本発明に係る第２のカード処理装置の動作パラメータ設定方法は、装置内に取り込んだカードの印字層を処理して該印字層に画像の印字処理を施す一方、カードの磁性層からのデータの読み込み処理を施し、この後、カードを装置外に排出するよう構成されたカード処理装置の動作パラメータ設定方法において、前記カードを装置内に取り込み、前記カードの磁性層に記録されている設定情報を読み込み、読み込んだ設定情報に基づいて動作パラメータを設定し、該設定内容を前記カードの印字層に印字し、取り込んだカードを排出することを特徴としている。
【００２４】
上記第２のカード処理装置の動作パラメータ設定方法によれば、カードの磁性層に記録されている設定情報を読み込み、該設定情報に基づいて動作パラメータを設定し、該設定された設定内容を、カードの印字層に印字するので、外部装置を用いることなく、書き換えられた動作パラメータの内容を確認することができる。
【００２５】
さらに、第１または第２のカード処理装置の動作パラメータ設定方法において、交換部品毎にカードを用意し、該カードの磁性層に交換対象となる部品の設定情報を記録することを好ましい形態としている。この形態によれば、部品交換に際して誤設定を防止することができる。
【００２６】
さらに、本発明に係る第４のカード処理装置は、装置内に取り込んだリライタブルカードのリライト層を加熱して該リライト層に画像のサーマル消去／印字処理を施す一方、リライタブルカードの磁性層へのデータ読込み／書込みを施し、この後、リライタブルカードを装置外に排出するよう構成されたカード処理装置であって、処理装置の動作パラメータを記憶する記憶手段と、前記リライタブルカードの磁性層に記録されている設定情報を読み込む読込手段と、前記設定情報に基づいて前記記憶手段の動作パラメータを設定する設定手段と、前記設定手段により行われた設定内容および設定の成否を前記リライタブルカードのリライト層に印字する印字手段とを具備することを特徴としている。
【００２７】
上記第４のカード処理装置によれば、設定カードの磁性層に記録されている設定情報に基づいて行なわれた動作パラメータの設定の可否、および設定情報に基づいて前記装置に設定された設定内容が、設定カードの印字層に印字されるので、外部装置を用いることなく、動作パラメータが正常に書き換えられたか否か、および書き換えられた動作パラメータの内容を容易に確認することができる。
【００２８】
【発明の実施の形態】
次に図面を参照してこの発明の実施形態について説明する。
Ａ．実施形態の構成
図１は、本発明の一実施形態によるカード処理装置の基本構成を示すブロック図である。図において、カード処理装置は、図１に示すように、前端部に設けられたカード挿入口１０にリライタブルカード（以下、単にカードと略称する）Ｃを挿入すると、まず、後端部の待機位置までカードＣを搬送する。この状態から消去／印字の処理コマンドが発せられると、カードＣを前方に搬送しながら、カードＣの表面に設けられたリライト層に対し、画像の消去と印字をこの順で行なう。係るカード処理装置の構成を説明する前に、まずカードＣについて説明する。
【００２９】
（１）リライタブルカードの構成
カードＣは、例えば「ＪＩＳ  Ｘ  ６３０３」で規定される長方形状のＩＣカードであって、ＰＶＣ（塩化ビニール）等の樹脂製基材の表面には、図２（ａ）に示すように、熱可逆性記録材料が積層されてなるリライト層１が設けられており、裏面には、図２（ｂ）に示すように、磁気ストライプ３が設けられている。リライト層を構成する熱可逆性記録材料は、加熱することにより可逆で、簡便・安易に高解像度の画像を繰り返し消去／印字する、すなわちリライトすることができる記録材料である。
【００３０】
磁気ストライプ３には、複数のデータが記録されるようになっている。カードＣには、その磁気ストライプ３に記録されたデータによって区分される設定用のカードと通常使用のカードとが存在する。通常使用のカードは、カード使用者のデータを記録したカードであり、例えば、使用者の名前や住所等のデータが磁気ストライプ３に記録されている。設定用のカードは、カード処理装置の設定を記録したカードであり、そのカードの磁気ストライプ３に記録されるデータとしては、図３（ａ）に示すように、設定カード認識マーク、カード種類、国種別、シリアル通信速度、印字ＴＯＰマージン、印字領域幅、磁気ヘッド種類、印字ヘッドランク、消去ヘッドランク、消去ヘッドヒートタイミングがある。
【００３１】
上記設定カード認識マークは、当該カード処理装置用のリライタブルカードであるかを識別するためのデータである。カード種類は、通常使用のカードであるか、設定用のカードであるかを示すデータである。国種別は、当該カード装置が使用される国を示すデータである。また、シリアル通信速度は、外部装置とのデータ送受信に用いるシリアルインターフェースの通信速度を示すデータである。印字ＴＯＰマージンは、カードＣのリライト層１に印字する際に、上端部のマージンを示すデータである。印字領域幅は、カードＣのリライト層１に印字する領域幅を示すデータである。
【００３２】
また、磁気ヘッド種類は、カードＣの磁気ストライプ３に対するデータの読込み／書込みを行なう磁気ヘッドの種類（１トラック、２トラックなど）を示すデータである。印字ヘッドランクまたは消去ヘッドランクは、ヘッドの抵抗値によって分けられたランクを示しており、例えば、０〜１２の値を有する。ヒートタイミングは、印字ヘッドを加熱するタイミングを示すデータである。
【００３３】
各データは、８ビット長であり、例えば、消去ヘッドランクは、図３（ｂ）に示すように、ビット０〜ビット５までが設定データ、ビット６が設定認識ビットで、「０」設定しない、「１」設定を示し、ビット７がＪＩＳＩＩ型磁気フォーマット（ＪＩＳ  ｘ  ６３０２）のパリティビットとなっている。
【００３４】
部品劣化に伴いカード装置内の部品を交換しようとする場合、装置内の部品と同一の特性を有する部品と交換するならば、部品交換に伴ってカード装置の動作を変更する必要はない。しかしながら、一般に、既存の部品と同じ特性を有する部品と交換することは管理上難しく、多少なりとも異なる特性の部品と交換することになる。例えば、印字ヘッドでは、加熱するための抵抗体がヘッド部分に形成されているが、該抵抗体の抵抗値にはばらつきがあり、当然、所定の温度まで加熱する際の電流や電流の供給タイミングなどが異なってくる。そこで、印字ヘッドでは、抵抗値に応じて、０〜１２のランクに分けられている。このように、交換部品の特性が装置内の部品と異なることがあるため、交換部品がどのランクのものであるかを示すべく、その情報をカードＣの磁気ストライプ３に記録するようになっている。それ以外の部品についても同様である。
【００３５】
上述したカードＣは、カード処理装置の出荷時の初期設定、あるいはメンテナンスなどの部品交換時に用いられる。特に、メンテナンスなどの部品交換時には、交換部品毎に上記カードＣが付帯されており、部品交換後に、該カードＣをカード処理装置に取り込んで磁気ストライプ３の設定情報を読み込み、装置内の動作パラメータを設定するようになっている。
【００３６】
（２）カード処理装置の構成
次に、カード処理装置の構成を詳細に説明する。
カード処理装置には、前側から順に、第１，第２，第３の搬送ローラ対（搬送手段）１１，１２，１３が配置されている。各搬送ローラ対１１〜１３は、いずれも下側の駆動ローラ１４と上側の従動ローラ１５とで構成され、これら上下のローラ１４，１５間にカードＣを挟み、駆動ローラ１４の回転方向にしたがって、カードＣを、前方から後方あるいは後方から前方に搬送する。
【００３７】
また、第２の搬送ローラ対１２と第３の搬送ローラ対１３との間には、前側から、印字プラテンローラ１６および消去プラテンローラ１７が配置され、さらに、印字プラテンローラ１６の上方には印字ヘッド４０が、消去プラテンローラ１７の上方には消去ヘッド５０が、それぞれ配置されている。第１〜第３の搬送ローラ対１１〜１３、各駆動ローラ１４および各プラテンローラ１６，１７は、メインモータ２２により駆動される。
【００３８】
印字ヘッド４０は、複数の発熱体が配列されたサーマルヘッドであり、カードＣのリライト層１に圧接しながら画像の印字部分に対応する発熱体に電流を流すことにより、リライト層１を印字温度に加熱して画像をサーマル印字する構成である。一方、消去ヘッド５０は、サーマルバーであって、消去温度に一様に加熱された状態でリライト層１に圧接することにより画像を消去する構成である。なお、消去ヘッド５０は、熱ロールや熱板により構成されていてもよい。
【００３９】
また、第２の搬送ローラ対１２の従動ローラ１５の下側には、カードＣの磁気ストライプ３に対して磁気データの読取り／書込みを行なうための磁気ヘッド２４が配置されている。
【００４０】
カードＣの搬送経路には、図１に示すように、搬送されるカードＣを検出する第１，第２，第３，第４のカードセンサ３１，３２，３３，３４が、前から順に設けられている。第１〜第４のカードセンサ３１〜３４の隣り合う間隔はカードＣの長さよりも短く、常にカードＣの位置および搬送方向が検出可能に構成されている。また、これら第１〜第４のカードセンサ３１〜３４は光センサ等を用いた非接触型であり、カードＣの搬送に負荷を生じさせないものである。
【００４１】
次に、カード処理装置の制御ブロックについて説明する。ＣＰＵ７０は、シリアルＩＯ、パラレルＩＯ、タイマ、ＡＤコンバータ、ウォッチドッグタイマ等の周辺機能を内蔵したマイクロコントローラである。このＣＰＵ７０には、制御プログラムや固定データを格納したＲＯＭ７１が接続され、ＣＰＵ７０は、ＲＯＭ７１に格納されたプログラムにしたがって各種制御を行なう。また、ＣＰＵ７０には、印字データ、コマンドデータ、各種設定値および基準値等を必要に応じて格納することができるＲＡＭ７２と、消去／印字コマンド等を上位装置から受信してＣＰＵ７０に送信するシリアルインターフェース７３が接続されている。シリアルインターフェース７３においては、上位装置から受信したコマンドはパラレルデータに変換され、そのコマンドデータは、ＣＰＵ７０によりＲＡＭ７２のコマンドバッファ領域に格納される。
【００４２】
センサ検知回路７５は、第１〜第４のカードセンサ３１〜３４の検出信号をＣＰＵ７０に供給する。ＣＰＵ７０は、これらカードセンサ３１〜３４の検出信号に基づいて、メインモータ制御回路７４に制御信号を出力し、メインモータ２２の回転速度、回転方向、起動／停止等の動作を制御する。ＬＥＤ駆動回路７６は、カード処理装置の筐体上部に配設されているＬＥＤを、ＣＰＵ７０の指示に従って、点灯／消灯制御、あるいは点滅制御し、当該装置の動作状態を表示する。クリーニングスイッチ検知回路７７は、カード処理装置のカード挿入口１０の近傍に配設されたクリーニングスイッチ６１の押下を検知し、ＣＰＵ７０に通知する。また、磁気ヘッド駆動回路・磁気ヘッドリード回路７８は、磁気ヘッド２４により、カードＣの磁気ストライプ３に書き込まれた磁気データを読取る一方、磁気ストライプ３に磁気データを書き込む。ＣＰＵ７０は、磁気ヘッド２４およびこれら回路７８を介して磁気ストライプ３に対する磁気データの読取り／書込みを行なう。
【００４３】
また、ＣＰＵ７０は、画像（ビットマップ）データを作成し、そのデータを、カードＣの搬送距離と同期させながら印字ヘッド制御回路８０を介して印字ヘッド４０に転送する。これにより、任意の画像がカードＣのリライト層１に印字される。さらに、ＣＰＵ７０は、消去ヘッド制御回路８１を介して消去ヘッド５０を所定の消去温度に加熱する。消去ヘッド５０には、消去ヘッド５０の温度を検出する温度センサが内蔵されており、消去ヘッド５０の温度は、ＣＰＵ７０に内蔵されたＡ／Ｄコンバータによりデジタル値として検出可能である。ＣＰＵ７０は、検出した消去ヘッド５０の温度と、ＲＯＭ７１またはＲＡＭ７２に格納された設定値データに基づいて通電デューティデータを求め、通電デューティに対応するパルス幅の通電パルスを消去ヘッド制御回路８１に出力する。このようにして、消去ヘッド５０の温度は印字層１を形成する熱可逆性記録材料を透明にする所定の消去温度に制御される。
【００４４】
ＥＥＰＲＯＭ８２は、不揮発性の書き換え可能なメモリであり、ＣＰＵ７０が各部を制御するためのプログラムの各種動作パラメータを記憶する。動作パラメータとしては、上述したように、シリアル通信速度、印字ＴＯＰマージン、印字領域幅、磁気ヘッド種類、印字ヘッドランク、消去ヘッドランク、消去ヘッドヒートタイミングがある。ＣＰＵ７０は、上記ＥＥＰＲＯＭ８２から動作パラメータを読み込み、該動作パラメータに従って、各部を制御し、当該カード処理装置を駆動する。
【００４５】
Ｂ．実施形態の動作
次に、本発明の実施形態によるカード処理装置の動作について説明する。
（１）全体動作
ここで、図４は、本実施形態によるカード処理装置の全体動作を説明するためのフローチャートである。ＣＰＵ７０は、まず、ステップＳ１００で、電源投入時にクリーニングスイッチ６１が押下されたか否かを判断する。そして、電源投入時にクリーニングスイッチ６１が押下されなかった場合には、ステップＳ１０１の通常動作へ進む。なお、通常動作については後述する。
【００４６】
一方、電源投入時にクリーニングスイッチ６１が押下された場合には、ステップＳ１０２で、再度、クリーニングスイッチ６１が押下されたか否かを判断する。そして、再度、クリーニングスイッチ６１が押下されない場合には、ステップＳ１０３で、カードＣが挿入されたか否かを判断する。カードＣが挿入されない場合には、ステップＳ１０２へ戻り、クリーニングスイッチ６１が押下されるか、カードＣが挿入されるかまで待機状態となる。そして、再度、クリーニングスイッチ６１が押下されず、カードＣが挿入されると、ステップＳ１０４の自己印字処理へ進む。なお、自己印字処理については後述する。
【００４７】
一方、再度、クリーニングスイッチ６１が押下された場合には、ステップＳ１０５で、カードＣが挿入されたか否かを判断する。そして、カードＣが挿入されない場合には、カードＣが挿入されるまで待機状態となる。一方、カードＣが挿入された場合には、ステップＳ１０６で、磁気ストライプ３から磁気情報を読み取る。次に、ステップＳ１０７で、カードＣに磁気データがあるか否かを判断し、磁気データがない場合には、ステップＳ１０４の自己印字処理へ進む。
【００４８】
一方、磁気データがあった場合には、ステップＳ１０８で、設定カード認識マークデータがあるか否かを判断し、設定カード認識マークデータがない場合には、ステップＳ１０４の自己印字処理へ進む。
【００４９】
一方、設定カード認識マークデータがあった場合には、ステップＳ１０９で、磁気ストライプ３から読み取った設定情報を、ＥＥＰＲＯＭ８２に記憶し、動作パラメータとして設定する。
【００５０】
（２）通常動作
次に、上述したステップＳ１０１の通常動作について説明する。ここで、図５は、本実施形態によるカード処理装置の通常動作を説明するためのフローチャートである。クリーニングスイッチ６１が押下されずに、電源が投入された場合、通常動作が実行される。通常動作では、まず、ステップＳ２０１で、クリーニングスイッチ６１が押下されたか否かを判断し、クリーニングスイッチ６１が押下された場合には、ステップＳ２０２で、メカニカル機構の清掃動作を行なう。
【００５１】
一方、クリーニングスイッチ６１が押下されない場合には、ステップＳ２０３で、シリアルインターフェース回路７３を介して、外部装置であるホストＰＣからコマンドデータを受信したか否かを判断する。そして、コマンドデータを受信しなかった場合には、ステップＳ２０１に戻る。一方、ホストＰＣからコマンドデータを受信した場合には、ステップＳ２０４で、受信したコマンドデータに従ってカード処理装置を動作させる。動作としては、例えば、カード挿入後の移動、磁気ストライプ３からのデータ読み取り、磁気ストライプ３へのデータ書き込み、リライト層１の画像消去、あるいはリライト層１への印刷などがある。
【００５２】
（３）自己印字
次に、上述したステップＳ１０４の自己印字動作について説明する。ここで、図６は、本実施形態によるカード処理装置の自己印字動作を説明するためのフローチャートである。自己印字動作は、電源投入時にクリーニングスイッチ６１が押下された後、カードＣが挿入された場合、あるいは、電源投入時にクリーニングスイッチ６１が押下された後、再度クリーニングスイッチ６１が押下され、かつ挿入されたカードＣに磁気データがないか、設定カード認識マークデータがない場合に実行される。
【００５３】
自己印字動作では、まず、ステップＳ３０１で、カードＣを搬送しながら、検査用ダミーデータを、磁気ヘッド２４で、磁気ストライプ３に書き込む。次に、ステップＳ３０２で、カードＣを搬送しながら、磁気ストライプ３からデータを読み込む。そして、ステップＳ３０３で、読み込んだデータが書き込んだダミーデータと等しいか検査する。この検査は、カードＣの磁気ストライプ３の汚れや傷など、磁気ヘッド２４の汚れなどでデータが正常に書き込めないか否かをチェックするために行なわれる。なお、正常に書き込めず、エラーが発生した場合には、ＬＥＤ６０を駆動し、エラー発生を明示的に表示するようにしたり、外部装置であるコンピュータに通知し、コンピュータ上で警告したりするようにしてもよい。
【００５４】
そして、読み込んだデータが書き込んだダミーデータと等しく、正常にデータをリードライトできた場合には、ステップＳ３０４で、ＥＥＰＲＯＭ８２の動作パラメータを取得し、ステップＳ３０５で、取得した動作パラメータと先の検査データとを、印字ヘッド４０により、リライト層１に印刷する。その後、ステップＳ３０６で、カードＣを排出し、図４に示すステップＳ１０１の通常動作へ進む。
【００５５】
（４）設定情報の記憶と設定
次に、上述したステップＳ１０９の設定情報の記憶と設定動作について説明する。ここで、図７は、本実施形態によるカード処理装置の設定情報の記憶と設定動作を説明するためのフローチャートである。設定情報の記憶と設定動作は、電源投入時にクリーニングスイッチ６１が押下された後、再度クリーニングスイッチ６１が押下され、かつ挿入されたカードＣに磁気データおよび設定カード認識マークデータが記録されていた場合に実行される。
【００５６】
設定情報の記憶と設定動作では、まず、ステップＳ４０１で、カードＣから読み込んだ設定情報のカード種類の設定認識ビットが有効であるかチェックし、カード種別を設定するか否かを判断する。そして、カード種類の設定認識ビットが有効である場合には、ステップＳ４０２で、カードＣから読み込んだカード種類の設定データに従ってカード種別を設定し、ステップＳ４０３へ進む。また、設定認識ビットが有効でない場合には、カード種別を設定することなく、そのままステップＳ４０３に進む。
【００５７】
次に、ステップＳ４０３では、カードＣから読み込んだ設定情報の国種別の設定認識ビットが有効であるかチェックし、国種別を設定するか否かを判断する。そして、国種別の設定認識ビットが有効である場合には、ステップＳ４０４で、カードＣから読み込んだ国種別の設定データに従って国種別を設定し、ステップＳ４０５へ進む。また、設定認識ビットが有効でない場合には、国種別を設定することなく、そのままステップＳ４０５に進む。
【００５８】
次に、ステップＳ４０５では、カードＣから読み込んだ設定情報のシリアル通信速度の設定認識ビットが有効であるかチェックし、シリアル通信速度を設定するか否かを判断する。そして、シリアル通信速度の設定認識ビットが有効である場合には、ステップＳ４０６で、カードＣから読み込んだシリアル通信速度の設定データに従ってシリアル通信速度を設定し、ステップＳ４０７へ進む。また、設定認識ビットが有効でない場合には、シリアル通信速度を設定することなく、そのままステップＳ４０７に進む。
【００５９】
次に、ステップＳ４０７では、カードＣから読み込んだ設定情報のカード配置の設定認識ビットが有効であるかチェックし、カード配置を設定するか否かを判断する。そして、カード配置の設定認識ビットが有効である場合には、ステップＳ４０８で、カードＣから読み込んだカード配置の設定データに従ってカード配置を設定し、ステップＳ４０９へ進む。また、設定認識ビットが有効でない場合には、カード配置を設定することなく、そのままステップＳ４０９に進む。
【００６０】
次に、ステップＳ４０９では、カードＣから読み込んだ設定情報の印字ＴＯＰマージンの設定認識ビットが有効であるかチェックし、印字ＴＯＰマージンを設定するか否かを判断する。そして、印字ＴＯＰマージンの設定認識ビットが有効である場合には、ステップＳ４１０で、カードＣから読み込んだ印字ＴＯＰマージンの設定データに従って印字ＴＯＰマージンを設定し、ステップＳ４１１へ進む。また、設定認識ビットが有効でない場合には、印字ＴＯＰマージンを設定することなく、そのままステップＳ４１１に進む。
【００６１】
次に、ステップＳ４１１では、カードＣから読み込んだ設定情報の印字領域幅の設定認識ビットが有効であるかチェックし、印字領域幅を設定するか否かを判断する。そして、印字領域幅の設定認識ビットが有効である場合には、ステップＳ４１２で、カードＣから読み込んだ印字領域幅の設定データに従って印字領域幅を設定し、ステップＳ４１３へ進む。また、設定認識ビットが有効でない場合には、印字領域幅を設定することなく、そのままステップＳ４１３に進む。
【００６２】
次に、ステップＳ４１３では、カードＣから読み込んだ設定情報の磁気ヘッド種類の設定認識ビットが有効であるかチェックし、磁気ヘッド種類を設定するか否かを判断する。そして、磁気ヘッド種類の設定認識ビットが有効である場合には、ステップＳ４１４で、カードＣから読み込んだ磁気ヘッド種類の設定データに従って磁気ヘッド種類を設定し、ステップＳ４１５へ進む。また、設定認識ビットが有効でない場合には、磁気ヘッド種類を設定することなく、そのままステップＳ４１５に進む。
【００６３】
次に、ステップＳ４１５では、カードＣから読み込んだ設定情報のＴＰＨ（印字ヘッド）ランクの設定認識ビットが有効であるかチェックし、ＴＰＨランクを設定するか否かを判断する。そして、ＴＰＨランクの設定認識ビットが有効である場合には、ステップＳ４１６で、カードＣから読み込んだＴＰＨランクの設定データに従ってＴＰＨランクを設定し、ステップＳ４１７へ進む。また、設定認識ビットが有効でない場合には、ＴＰＨランクを設定することなく、そのままステップＳ４１７に進む。
【００６４】
次に、ステップＳ４１７では、カードＣから読み込んだ設定情報のＥＨＤ（消去ヘッド）ランクの設定認識ビットが有効であるかチェックし、ＥＨＤランクを設定するか否かを判断する。そして、ＥＨＤランクの設定認識ビットが有効である場合には、ステップＳ４１８で、カードＣから読み込んだＥＨＤランクの設定データに従ってＥＨＤランクを設定し、ステップＳ４１９へ進む。また、設定認識ビットが有効でない場合には、ＥＨＤランクを設定することなく、そのままステップＳ４１９に進む。
【００６５】
次に、ステップＳ４１９では、カードＣから読み込んだ設定情報のＥＨＤ（消去ヘッド）ヒートタイミングの設定認識ビットが有効であるかチェックし、ＥＨＤヒートタイミングを設定するか否かを判断する。そして、ＥＨＤヒートタイミングの設定認識ビットが有効である場合には、ステップＳ４２０で、カードＣから読み込んだＥＨＤヒートタイミングの設定データに従ってＥＨＤヒートタイミングを設定し、ステップＳ４２１へ進む。また、設定認識ビットが有効でない場合には、ＥＨＤヒートタイミングを設定することなく、そのままステップＳ４２１に進む。
【００６６】
次に、ステップＳ４２１で、設定認識ビットが有効であった設定項目全てが正常に設定できたか否かを判断し、正常に設定できた場合には、ステップＳ４２２で、正常に設定できた旨およびその設定内容を、リライト層１に印字する一方、正常に設定できなかった場合には、ステップＳ４２３で、異常であった旨およびその設定内容を、リライト層１に印字する。これらの印字では、消去ヘッド５０によりリライト層１の全ての印字を一旦消去した後、印字ヘッド４０により新たに全ての印字を書き込む。その後、図４に示すステップＳ１０１の通常動作へ進む。
【００６７】
（５）カードＣへの印刷例
次に、カードＣのリライト層１への印刷内容について説明する。ここで、図８は、本実施形態によるカードＣのリライト層１への印刷例を示す模式図である。図８（ａ）では、使用前のカードＣにおけるリライト層１の印刷内容を示している。図示の例では、印字ヘッド（ＴＰＨ）と消去ヘッド（ＥＨＤ）を同時に交換する場合であり、ＴＰＨランクが「５」、ＥＨＤランクが「１」である。
【００６８】
次に、図８（ｂ）では、正常に設定され、カード処理装置から印刷、排出されたカードＣにおけるリライト層１の印刷内容を示している。図示の例では、設定結果が「Ｒｅｓｕｌｔ：Ａｌｌ  Ｃｏｍｐｌｅｔｅ！」と正常に設定された旨が印刷されているとともに、ＴＰＨランクが「ＴＰＨＲａｎｋ：５○」、ＥＨＤランクが「ＥＤＨＲａｎｋ：１○」と印刷されている。
【００６９】
また、図８（ｃ）では、正常に設定できずに、カード処理装置から印刷、排出されたカードＣにおけるリライト層１の印刷内容を示している。図示の例では、設定結果が「Ｒｅｓｕｌｔ：Ｎｏｔ  Ｃｏｍｐｌｅｔｅ！」と正常に設定されなかった旨が印刷されているとともに、ＴＰＨランクが「ＴＰＨＲａｎｋ：５○」、ＥＨＤランクが「ＥＤＨＲａｎｋ：１×」と印刷されており、ＥＨＤランクの設定が正常に行なわれなかったことを示している。
【００７０】
本実施形態では、リライタブルカードを使用した例を挙げたが、印字が可能であれば、どのようなカードでも適用可能であり、例えば、上書きや消去が不可能なカードを用いてもよい。また、印字も加熱による必要はなく、例えば、特開平５−１６５９８号公報に開示された磁気的な印字や、インクジェット方式、電子写真方式、インパクト方式等の印字方式が適用可能である。
【００７１】
【発明の効果】
以上説明したように、本発明によれば、カードの磁性層に記録されている設定情報を読み込み、該読み込んだ設定情報に基づいて動作パラメータを設定し、該動作パラメータの設定の可否を、カードの印字層に印字するようにしたので、外部装置を用いることなく、動作パラメータが正常に書き換えられたか否かを容易に確認することができ、該設定された設定内容を、カードの印字層に印字するようにしたので、外部装置を用いることなく、書き換えられた動作パラメータの内容を確認することができ、さらに、交換対象となる部品の設定情報が磁性層に記録されているカードの磁性層に記録されている設定情報を読み込み、該設定情報に基づいて前記記憶手段の動作パラメータを設定するので、部品交換に際して誤設定を防止することができる。
【図面の簡単な説明】
【図１】本発明の一実施形態によるカード処理装置の基本構成を示すブロック図である。
【図２】本実施形態によるリライタブルカードの構造を示す模式図である。
【図３】本実施形態によるリライタブルカードの磁気ストライプに記録されるデータを説明するための概念図である。
【図４】本実施形態によるカード処理装置の全体動作を説明するためのフローチャートである。
【図５】本実施形態によるカード処理装置の通常動作を説明するためのフローチャートである。
【図６】本実施形態によるカード処理装置の自己印字動作を説明するためのフローチャートである。
【図７】本実施形態によるカード処理装置の設定情報の記憶と設定動作を説明するためのフローチャートである。
【図８】本実施形態によるリライタブルカードのリライト層への印刷例を示す模式図である。
【符号の説明】
１…リライト層、２４…磁気ヘッド（読込手段）、３…磁気ストライプ（磁性層）、３１〜３４…第１〜第４のカードセンサ、４０…印字ヘッド（印字手段）、５０…消去ヘッド、７０…ＣＰＵ（書換手段）、Ｃ…リライタブルカード、８２…ＥＥＰＲＯＭ（記憶手段）。
【図１】
2004192511.tif 000003
【図２】
2004192511.tif 000004
【図３】
2004192511.tif 000005
【図４】
2004192511.tif 000006
【図５】
2004192511.tif 000007
【図６】
2004192511.tif 000008
【図７】
2004192511.tif 000009
【図８】
2004192511.tif 000010